(57)【要約】【課題】  小型化が可能で、良好な放射特性を得られるようにする。【解決手段】  アンテナ装置は、長方形の導電性材料からなる地板１と、この地板１上に配置される一対のアンテナ２，３とを備えている。地板１は、互いに長さが異なり隣り合う第１辺４および第２辺５を有し、第１辺４の所定箇所Ｌから第２辺５の方向に長さｄだけ切り込み６が形成されている。一対のアンテナ２，３は、第２辺５の両端部に形成されている。切り込み６の位置Ｌや長さｄが変化しても、放射効率を向上させつつ、一方のアンテナの放射パターンのヌル点を他方のアンテナで補えるようなアンテナ装置を製作することができる。したがって、設計上あるいは製造上の都合により、必要に応じて切り込み６の位置や長さを調整可能となる。【選択図】  図１
2005198102.tif 000002
【特許請求の範囲】
【請求項１】
隣接する第１辺および第２辺を有する矩形状の導電性基板と、
前記第２辺の両端部に配置される一対の第１と第２のアンテナとを備え、
前記第１のアンテナ側の前記導電性基板上の電流分布と前記第２のアンテナ側の前記導電性電流分布とが非対称となり、かつ、前記第２のアンテナから放射される電磁波の強度より、前記第２のアンテナ側の第１辺を沿って流れる電流による電磁波の強度が大きくなるように、前記第２のアンテナ側の前記第１辺の前記第２辺から距離Ｌだけ隔てた箇所に、前記第２辺とほぼ平行な切り込みが設けられたことを特徴とするアンテナ装置。
【請求項２】
コンピュータ機器に内蔵されて、該コンピュータ機器の通信回路と信号の送受を行うための信号端子をさらに備えることを特徴とする請求項１に記載のアンテナ装置。
【請求項３】
隣接する第１辺および第２辺を有する矩形状の導電性基板と、
前記第２辺の両端部に配置される一対の第１と第２のアンテナとを備え、
前記第１のアンテナ側の前記導電性基板上の電流分布と前記第２のアンテナ側の前記導電性電流分布とが非対称となり、かつ、前記第２のアンテナから放射される電磁波の強度より、前記第２のアンテナ側の第１辺を沿って流れる電流による電磁波の強度が大きくなるように、前記第２のアンテナ側の前記第１辺の前記第２辺から距離Ｌだけ隔てた箇所に、前記第２辺とほぼ平行な切り込みが設けられたことを特徴とするアンテナ装置と、
前記アンテナ装置で送受信される信号を処理する無線処理部と、を備えることを特徴とする無線装置。
【請求項４】
前記無線処理部は、前記一対のアンテナのうち受信感度のよいアンテナを選択して受信する選択合成処理と、前記一対のアンテナの受信レベルを等しくする等利得合成処理と、前記一対のアンテナの受信レベルを最大化する最大比合成処理との少なくとも一つを行うことを特徴とする請求項３に記載の無線装置。
【請求項５】
コンピュータ機器に着脱可能に接続されるコネクタをさらに備えることを特徴とする請求項３または４に記載の無線装置。
【請求項６】
前記無線装置は、液晶パネルを備えた第１の筐体と、キーボードを備えた第２の筐体とよりなるパーソナルコンピュータ内に備えられ、前記無線装置を構成する前記アンテナ装置は、第１の筐体に備えられ、前記無線処理部は第２の筐体に備えられたことを特徴とする請求項３記載の無線装置。
【発明の詳細な説明】
【技術分野】
【０００１】
本発明は、一対のアンテナを有するアンテナ装置と、このアンテナ装置を内蔵した無線装置とに関する。
【背景技術】
【０００２】
筐体上を流れる電流を抑制し、携帯無線機の放射特性を改善する手法が従来から提案されている（特許文献１参照）。
【０００３】
具体的には、携帯無線機の筐体の一部に切り込みを設ける手法が提案されている。このような切り込みを設けると、筐体下部方向に流れる高周波電流を抑制でき、かつアンテナと筐体の電気的結合を低減できる。切り込みの位置がアンテナの上端部から略１／２波長の距離にあり、切り込みの長さが１／４波長であるとき、切り込みの上辺部と下辺部の電流分布が逆相になり、これらの電磁波の影響が互いに打ち消される。これにより、筐体上を流れる高周波電流からの電磁波の放射が低減され、アンテナの放射特性を改善することができる。
【特許文献１】特開平5-327527号公報（第２頁〜第２９頁、第１図）
【発明の開示】
【発明が解決しようとする課題】
【０００４】
しかしながら、上述した従来の技術にあっては、アンテナが設置されている筐体はサイズが大きいので、筐体上を流れる高周波電流からの電磁波の放射を低減させることができるが、例えばPC用無線通信カードのような小型の無線通信用カードの場合、地板上を流れる電流からの電磁波放射の強度は、アンテナ部からの電磁波放射より大きくなってしまい抑制が効かない。また小型化すると二つのアンテナ間の結合も生じてしまう。さらに、筐体はサイズが大きいので、2つのアンテナが設置されているとき、筐体上を流れる高周波電流は、互いのヌル点を補う形状の放射パターンを形成できるほどアンテナの放射パターンを変更することができないので、十分なダイバーシチ効果が得られなかった。
【０００５】
本発明は、上記の問題点に鑑みてなされたものであり、その目的は、小型化が可能で、かつダイバーシチ効果が得られるような良好な放射特性を得ることができるアンテナ装置および無線装置を提供することにある。
【課題を解決するための手段】
【０００６】
以上の目的を達成するため、本発明は、隣接する第１辺および第２辺を有する矩形状の導電性基板と、前記第２辺の両端部に配置される一対の第１と第２のアンテナとを備え、前記第１のアンテナ側の前記導電性基板上の電流分布と前記第２のアンテナ側の前記導電性電流分布とが非対称となり、かつ、前記第２のアンテナから放射される電磁波の強度より、前記第２のアンテナ側の第１辺を沿って流れる電流による電磁波の強度が大きくなるように、前記第２のアンテナ側の前記第１辺の前記第２辺から距離Ｌだけ隔てた箇所に、前記第２辺とほぼ平行な切り込みが設けられる。
【０００７】
また、本発明は、隣接する第１辺および第２辺を有する矩形状の導電性基板と、前記第２辺の両端部に配置される一対の第１と第２のアンテナとを備え、前記第１のアンテナ側の前記導電性基板上の電流分布と前記第２のアンテナ側の前記導電性電流分布とが非対称となり、かつ、前記第２のアンテナから放射される電磁波の強度より、前記第２のアンテナ側の第１辺を沿って流れる電流による電磁波の強度が大きくなるように、前記第２のアンテナ側の前記第１辺の前記第２辺から距離Ｌだけ隔てた箇所に、前記第２辺とほぼ平行な切り込みが設けられたことを特徴とするアンテナ装置と、前記アンテナ装置で送受信される信号を処理する無線処理部と、を備える。
【発明の効果】
【０００８】
本発明によれば、切り込みが形成された矩形状の導電性基板と一対のアンテナを用いてアンテナ装置を構成するため、小型化が可能で、良好な放射特性を得ることができる。
【発明を実施するための最良の形態】
【０００９】
以下、図面を参照しながら、本発明の一実施形態について説明する。
【００１０】
（第１の実施形態）
図１は本発明の第１の実施形態に係るアンテナ装置の斜視図である。図１のアンテナ装置は、例えば携帯無線機等の小型無線機に内蔵されるものである。
【００１１】
図１のアンテナ装置は、長方形の導電性材料からなる地板１と、この地板１上に配置される一対のアンテナ２，３とを備えている。地板１は、互いに長さが異なり隣り合う第１辺４および第２辺５を有し、第１辺４の所定箇所Ｌから第２辺５の方向に長さｄだけ切り込み６が形成されている。一対のアンテナ２，３は、第２辺５の両端部に形成されている。
【００１２】
地板１の形状は、必ずしも長方形である必要はなく、正方形や台形等を含む矩形であればよい。地板１の材料は、導電性のある材料であればよく、例えば、金属板や、誘電体基板上に導電層を形成したものでもよい。
【００１３】
図２は、アンテナ２、３の具体的な例を示す図、図３は、図２のアンテナ装置で切り込みを入れなかったときの地板上の電流分布概念図、図４は、図２のアンテナ装置に切り込みを入れたときの地板上の電流分布概念図、図５は図２のアンテナ装置の詳細な寸法図である。
【００１４】
図２に示すように、本実施形態では、アンテナとして逆Ｆアンテナを用いる。図３、図４に示すように、地板１にはアンテナが電磁波を放射する際に、電流が地板上に沿うように流れる。この地板上に流れる電流により、地板から電磁波が放射される。図４に示すように、切り込み６を設けると、図３の参照符号（ａ）で示す電流が、切り込み６周辺で矢印（ｃ）で示すように折り返すように流れ、矢印（ｂ）に示す逆向きの電流が流れる。こうすると、切り込み６周辺において流れる電流は互いに逆向きになる。このため、電流（ａ），（ｂ）から放射される電磁波の位相が逆相となり、切り込み周辺部で、電流（ａ）、（ｂ）が地板上を流れることによる地板からの電磁波放射が減少する。切り込み６の幅方向（第１辺４の方向）に流れる電流は、切り込み６により流れが止められるものの、流れる方向が変化することはない。このため、切り込み６による第１辺４の方向を流れる電流からの電磁波放射に対する影響は少ない。以上より、アンテナ３周辺の地板１からの電磁波放射は、第１辺４の方向に流れる電流からの寄与が、アンテナ３からの電磁波放射より支配的となる。また、アンテナ２の地板上の電流分布とアンテナ３側の地板上の電流分布とが非対称となる。これにより、アンテナ３の放射パターンの向きをアンテナ２の放射パターンと異ならしめることができ、ダイバーシチ効果を得るのに好適なアンテナ装置が実現できる。
【００１５】
また、切り込み６を入れることで、第２辺５の方向に対して逆向きに電流を流し、、アンテナ２へ流れる電流を減少せしめることで、、アンテナ２，３の結合量を減少させ、アンテナ装置を小型化しても放射効率の向上を図ることができる。
【００１６】
図５の例では、受信電波の波長をλとして、第２辺５からＬ＝(3/25)λの位置に、長さｄ＝(7/50)λの切り込み６を形成している。ただし、図５に示した寸法は一例であり、後述するように、図５以外の寸法でアンテナ装置を構成することも可能である。
【００１７】
図６は図５の寸法の切り込み６を形成した場合の一対のアンテナ２，３の放射パターンを示す図であり、図６（ａ）は左側のアンテナ２の放射パターン、図６（ｂ）は右側のアンテナ３の放射パターンを示している。図６のＸＹ方向は、図５のＸＹ方向と同じである。
【００１８】
図６の放射パターンは、例えば中央の原点にアンテナが存在するとした場合に、アンテナから遠方での電力の利得分布を表している。図６（ａ）と図６（ｂ）を比較すればわかるように、左右のアンテナで放射パターンが大きく変化しており、左側のアンテナ２のヌル点（図６（ａ）で放射パターンがえぐれている箇所）では、右側のアンテナ３の放射特性がよく、逆に右側のアンテナ３のヌル点では左側のアンテナ２の放射特性が優れている。これにより、一方のアンテナの放射パターンのヌル点を他方のアンテナで補うことができ、放射特性がよくなる。
【００１９】
図７は切り込み６がない場合の一対のアンテナ２，３の放射パターンを示す図であり、図７（ａ）は左側のアンテナ２の放射パターン、図７（ｂ）は右側のアンテナ３の放射パターンを示している。切り込み６がない場合は、アンテナ装置は左右対称の構造になるため、各アンテナの放射パターンは左右対称となる。
【００２０】
図７（ａ）と図７（ｂ）は、図６（ａ）と図６（ｂ）ほどは放射パターンが互いに変化しておらず、一方のアンテナの放射パターンのヌル点で、他方のアンテナの放射特性が優れているとは必ずしもいえない結果となっている。
【００２１】
このように、切り込み６を設けると、一方のアンテナの放射パターンのヌル点を他方のアンテナで補うことができ、良好なダイバーシチ効果が得られることがわかる。また、切り込み６がある場合は、切り込み６がない場合と比べて、放射利得が上昇しており、放射効率も向上していることがわかる。  図８〜図１１は切り込み６の長さｄをそれぞれ変えた場合の放射パターンを示しており、図８はｄ＝(3/50)λ、図９はｄ＝(5/50)λ、図１０はｄ＝(7/50)λ、図１１はｄ＝(9/50)λの場合であり、右側のアンテナ３の放射パターンを表している。
【００２２】
図８〜図１１の放射パターンを比較すればわかるように、ｄ＝(3/50)λ、(5/50)λ、(7/50)λの切り込み６を設けた場合の放射パターン（図８、図９および図１０）は、切り込み６のない場合の放射パターン（図７）と比べて、放射利得が上昇していることがわかる。そして、切り込み６の長さｄが(9/50)λになると（図１１）、放射パターンの方向は変えられるが、放射利得の減少が生じていることがわかる。
【００２３】
図１２には図５に示した切り込みの位置で、切り込みの長さｄを変化させたときのアンテナ３の放射効率と、アンテナ２とアンテナ３の相関係数を示す。相関係数は二つのアンテナの放射（振幅、位相）が異なる度合いを示すもので、相関係数が０であれば放射は全く異なり、１であれば全く同じことを示す。図１２に示すように、このアンテナ装置では、相関係数を低くすると同時に放射効率を改善できることが分かる。切り込みの長ｄが(8/50)λを超えたところで相関係数が０となり、ｄが(8/50)λの部分で放射効率は100パーセントとなり、相関係数と放射効率の改善が同時に行える。
【００２４】
このように、切り込み６の長さｄを変えると、放射パターンの方向と放射利得と相関係数が変化する。この結果を利用して、切り込み６の位置、長さ、形状および数などを適宜組み合わせることにより、異なる放射パターンを持つアンテナ装置を容易に実現することができる。
【００２５】
図１３は切り込み６の位置と長さを変えた場合の放射効率の変化を示す図である。より具体的には、切り込み６の位置Ｌを、(1/25)λ、(2/25)λ、(3/25)λ、(4/25)λおよび(1/5)λに変化させ、切り込み６の長さｄを、０波長から(8/25)λまで(1/50)λごとに変化させた場合のアンテナの放射効率を示している。
【００２６】
図１３からわかるように、各切り込み６の位置において、放射効率は切り込み６の長さｄがある値になるまで上昇し、それ以降減少する。切り込み６位置Ｌが小さいとき、すなわち切り込み６が右側のアンテナ３に近いほど、効率最大となる近傍で、切り込み６の長さｄに対する放射効率の変化量が小さくなる。これは、切り込み６の長さｄの製作精度の許容範囲を広げられるので、実装が容易になるという利点が得られることを示す。
【００２７】
また、図１４は同様に相関係数の変化を示す。切り込み６の長さｄがある値になるまで減少し、それ以降増加する。そして放射効率同様、相関係数においても、切り込みの位置がアンテナ３に近いほど、相関係数最小となる近傍で切り込みの長さｄに対する相関係数の変化量が小さく、設計が容易になることがわかる。
【００２８】
図１５〜図１９は切り込み６の位置Lを変えた場合に放射効率が最大になるときの左右のアンテナ２，３の放射パターンを示す図である。具体的には、図１５は位置L＝(1/25)λ、図１６は位置Ｌ＝(2/25)λ、図１７は位置Ｌ＝(3/25)λ、図１８は位置Ｌ＝(4/25)λ、図１９は位置Ｌ＝(1/5)λのときの放射パターンを示しており、各図の（ａ）は左側のアンテナ２、（ｂ）は右側のアンテナ３を表している。図１５〜図１９のいずれにおいても、右側のアンテナ３の放射パターンの方向が大きく変化し、各アンテナの放射パターンのヌル点を他のアンテナで補っていることがわかる。
【００２９】
第１の実施形態では、切り込み６の位置Ｌや長さｄが変化しても、相関係数と放射効率の改善を同時に行いつつ、一方のアンテナの放射パターンのヌル点を他方のアンテナで補えるようなアンテナ装置を製作することができる。したがって、設計上あるいは製造上の都合により、必要に応じて切り込み６の位置や長さを調整可能となる。
【００３０】
上記では、一対のアンテナ２，３に逆Ｆアンテナを用いる例を説明したが、本実施形態のアンテナ装置は地板１のみに調製を加えて放射パターンの制御を行えるため、一対のアンテナ２，３として、逆Ｆアンテナ以外の小型アンテナを用いることができる。
【００３１】
（第２の実施形態）
第２の実施形態は、PC用無線通信カードに内蔵可能なアンテナ装置であることを特徴とする。
【００３２】
図２０は第２の実施形態のアンテナ装置を内蔵したPC用無線通信カードの概略図である。図２０のPC用無線通信カードは、無線機本体１１と、この無線機本体１１に信号線を介して接続されたアンテナ装置１２と、PCのカードスロットに接続するためのPC接続コネクタ１３とを備えている。無線機本体１１は、受信部１４を有する。なお、図２０では、説明を簡略化するため、電波の受信に関連する部分のみを図示するが、無線機本体１１に送信部を設けてもよい。
【００３３】
アンテナ装置１２は、第１の実施形態と同様に、切り込み６が形成された長方形の地板１と、この基板の第２辺５の端部に配置される一対のアンテナ２，３とを有する。
【００３４】
アンテナで受信された信号は、信号線Ｓ１，Ｓ２を介して受信部１４に伝達される。受信部１４は、受信信号に対して、選択合成処理、等利得合成処理および最大比合成処理のいずれかを行う、いわゆる合成受信法を採用する。これにより、図１７のアンテナ装置１２は、ダイバーシチアンテナを構成する。
【００３５】
図２１は図２０に示すPC用無線通信カードアンテナの具体的形態を示す斜視図である。図２１では、信号線としてフレキシブルな同軸線を用い、アンテナとして板金からなる逆Ｆアンテナを用い、地板１として誘電体基板上に金属物質を形成した基板を用い、エッチング加工により切り込み６を形成している。
【００３６】
アンテナ装置１２と無線機本体１１には、同軸線である信号線Ｓ１，Ｓ２を接続するためのコネクタ１５が実装されている。受信部１４は、高周波回路部１６とベースバンド処理部１７とを有する。アンテナ２，３を介して入力された受信信号は高周波回路部１６で周波数変換されて、ベースバンド処理部１７に送られる。ベースバンド処理部１７は復調処理などを行う。図２１では、高周波回路部１６とベースバンド処理部１７をそれぞれ１個のチップで構成する例を示しているが、これらの回路を１つのチップにまとめてもよいし、あるいは、３個以上のチップで構成してもよい。
【００３７】
受信部１４は、選択合成処理、等利得合成処理および最大比合成処理を組み合わせた合成受信法を採用するが、以下、これらの処理を順に説明する。
【００３８】
図２２は選択合成処理の原理を説明する図である。一対のアンテナ２，３で受信された信号は、２つの受信機２１，２２と、これら２つの受信機２１，２２の包絡線レベルを比較する包絡線比較器２３に入力される。包絡線比較器２３は、一対のアンテナ２，３の受信信号のうちどちらの包絡線レベルが大きいかを判断し、その情報を切替器２４に送る。切替器２４は、包絡線比較器２３から受信した情報に基づいて、２つの受信機２１，２２から送られた受信信号の一方を選択して、ベースバンド処理部へ送られ、PCに送る。
【００３９】
図２３は等利得合成処理の原理を説明する図である。一対のアンテナ２，３で受信した信号はそれぞれ、対応する位相器３１，３２と位相検出器３３，３４に送られる。位相検出器３３，３４はアンテナでの受信信号の位相を検出し、その検出した位相を位相器３１，３２に送る。位相器３１，３２は、位相検出器３３，３４で検出された位相に基づいて、一対のアンテナ２，３での両受信信号の位相が一致するように位相調整を行う。これら位相調整された受信信号は、合成器３５で合成されて受信機３６に入力され、復調処理などが行われた後、ベースバンド処理部へ送られ、PCに送られる。
【００４０】
図２４は最大比合成処理の原理を説明する図である。図２４の構成は、図２３の構成に、包絡線検出器４１，４２と増幅器４３，４４を追加したものである。包絡線検出器４１，４２は、一対のアンテナ２，３での受信信号の包絡線レベルを検出する。位相器３１，３２で位相調整された受信信号は、増幅器４３，４４に入力される。増幅器４３，４４は、包絡線レベルに応じて受信信号を増幅した後、合成器３５に送る。これにより、一対のアンテナ２，３での受信信号の位相だけでなく、振幅も調整することができる。
【００４１】
このように、第２の実施形態では、PC用無線通信カード内に内蔵されるアンテナ装置１２を、切り込み６がある地板１と一対のアンテナ２，３で形成するため、ダイバーシチ効果に優れ、かつ放射効率のよいPC用無線通信カードが得られる。
【００４２】
（第３の実施形態）
第３の実施形態は、携帯型PCに内蔵可能なアンテナ装置１２であることを特徴とする。
【００４３】
図２５は第３の実施形態のアンテナ装置１２を内蔵した携帯型PC４０の概略構成図である。携帯型PC４０の液晶パネルの内側に、第１の実施形態と同様のアンテナ装置１２が配置されている。アンテナ装置１２の一対のアンテナ２，３は、液晶パネルを開いたときに、携帯型PC４０の上端付近に位置するように配置される。
【００４４】
また、携帯型PC４０のキーボードの下部には、受信部１１が配置されている。この受信部１１は、第２の実施形態と同様に、選択合成処理、等利得合成処理および最大比合成処理を組み合わせた合成受信法を採用する。アンテナ装置１２と受信部１１とは、いずれも信号端子４１，４２を有し、互いの信号端子間は信号線Ｓ１，Ｓ２で接続されている。この信号線は、他の信号線と同様に、例えばフレキシブルプリント基板等を介して伝送される。
【００４５】
本実施形態のアンテナ装置１２は、外形寸法が非常に小さい上に、放射特性に優れ、ダイバーシチ効果が十分に得られるため、安定した無線通信を行うことができる。
【図面の簡単な説明】
【００４６】
【図１】本発明の第１の実施形態に係るアンテナ装置の斜視図。
【図２】逆Fアンテナを用いた場合の本発明の第１の実施形態に係るアンテナ装置の斜視図。
【図３】切り込みがない場合の地板上の電流分布を示すアンテナ装置の平面図。
【図４】切り込みを設けた場合の地板上の電流分布を示す図２のアンテナ装置の平面図。
【図５】図２のアンテナ装置の詳細な寸法図。
【図６】図５の寸法の切り込み６を形成した場合の一対のアンテナ２，３の放射パターンを示す図。
【図７】切り込み６がない場合の一対のアンテナ２，３の放射パターンを示す図。
【図８】ｄ＝(3/50)λの場合の放射パターンを示す図。
【図９】ｄ＝(5/50)λの場合の放射パターンを示す図。
【図１０】ｄ＝(7/50)λの場合の放射パターンを示す図。
【図１１】ｄ＝(9/50)λの場合の放射パターンを示す図。
【図１２】切り込み６の位置が(6/50)λのとき、長さdを変えた場合の相関係数と放射効率の変化を示す図。
【図１３】切り込み６の位置と長さを変えた場合の放射効率の変化を示す図。
【図１４】切り込み６の位置L、長さdを変えた場合の相関係数の変化を示す図。
【図１５】位置Ｌ＝(1/25)λの場合に放射効率が最大となる場合の放射パターンを示す図。
【図１６】位置Ｌ＝(2/25)λの場合に放射効率が最大となる場合の放射パターンを示す図。
【図１７】位置Ｌ＝(3/25)λの場合に放射効率が最大となる場合の放射パターンを示す図。
【図１８】位置Ｌ＝(4/25)λの場合に放射効率が最大となる場合の放射パターンを示す図。
【図１９】位置Ｌ＝(1/5)λの場合に放射効率が最大となる場合の放射パターンを示す図。
【図２０】第２の実施形態のアンテナ装置を内蔵したPC用無線通信カードの概略図。
【図２１】図２０に示すPC用無線通信カードアンテナの具体的形態を示す斜視図。
【図２２】選択合成処理の原理を説明する図。
【図２３】等利得合成処理の原理を説明する図。
【図２４】最大比合成処理の原理を説明する図。
【図２５】第３の実施形態のアンテナ装置１２を内蔵した携帯型PC４０の概略構成図。
【符号の説明】
【００４７】
１  地板
２、３  アンテナ
６  切り込み
１１  無線機本体
１２  アンテナ装置
１３  PC接続コネクタ
１４  受信部
１５  コネクタ
１６  高周波回路部
１７  ベースバンド処理部
【図１】
2005198102.tif 000003
【図２】
2005198102.tif 000004
【図３】
2005198102.tif 000005
【図４】
2005198102.tif 000006
【図５】
2005198102.tif 000007
【図６】
2005198102.tif 000008
【図７】
2005198102.tif 000009
【図８】
2005198102.tif 000010
【図９】
2005198102.tif 000011
【図１０】
2005198102.tif 000012
【図１１】
2005198102.tif 000013
【図１２】
2005198102.tif 000014
【図１３】
2005198102.tif 000015
【図１４】
2005198102.tif 000016
【図１５】
2005198102.tif 000017
【図１６】
2005198102.tif 000018
【図１７】
2005198102.tif 000019
【図１８】
2005198102.tif 000020
【図１９】
2005198102.tif 000021
【図２０】
2005198102.tif 000022
【図２１】
2005198102.tif 000023
【図２２】
2005198102.tif 000024
【図２３】
2005198102.tif 000025
【図２４】
2005198102.tif 000026
【図２５】
2005198102.tif 000027